(57)【特許請求の範囲】
【請求項１】
複数の発光ダイオードをもつ発光ダイオードアレイに接続された液晶ディスプレイを有するディスプレイデバイスであって、
当該ディスプレイデバイスは、画像コンテンツを表示し、前記画像コンテンツに依存にした特性をもつアンビエント光を表示するように構成され、
前記発光ダイオードアレイは、列方向または行方向に配列された側面発光ダイオードである前記複数の発光ダイオードを含み、
前記発光ダイオードアレイにおける列方向または行方向に配列された前記複数の発光ダイオードのうちの第１の発光ダイオードは、前記液晶ディスプレイ用の光源として構成され、
前記発光ダイオードアレイにおける列方向または行方向に配列された前記複数の発光ダイオードのうちの第２の発光ダイオードは、アンビエント光を放射するように構成される、ディスプレイデバイス。
【請求項２】
複数の発光ダイオードをもつ発光ダイオードアレイに接続された液晶ディスプレイを有するディスプレイデバイスであって、
当該ディスプレイデバイスは、画像コンテンツを表示し、前記画像コンテンツに依存にした特性をもつアンビエント光を表示するように構成され、
前記発光ダイオードアレイは、２列または２行に配列された側面発光ダイオードである前記複数の発光ダイオードを含み、
前記発光ダイオードアレイにおける前記液晶ディスプレイに近い側の列または行の第１の発光ダイオードは、前記液晶ディスプレイ用の光源として構成され、
前記発光ダイオードアレイにおける前記液晶ディスプレイから離れた側の列または行の第２の発光ダイオードは、アンビエント光を放射するように構成される、ディスプレイデバイス。
【請求項３】
前記発光ダイオードアレイのうち少なくとも１つの発光ダイオードは、前記液晶ディスプレイを介して前記アンビエント光を表示するための光を放射するように構成される、請求項１または２に記載のディスプレイデバイス。
【請求項４】
前記第２の発光ダイオードから放射された光を或る表面上に少なくとも部分的に反射するように構成された反射層を更に有する、請求項１から３のいずれか一項に記載のディスプレイデバイス。
【請求項５】
前記発光ダイオードアレイの発光ダイオードからアンビエント光を受信し、受信したアンビエント光を或る表面に少なくとも部分的に投射するように構成されたアンビエント光ガイドを更に有する、請求項１から４のいずれか一項に記載のディスプレイデバイス。
【請求項６】
前記表面は、当該ディスプレイデバイスに含まれた前面プレートであり、
前記前面プレートは、少なくとも部分的に透明であり、反射された光の透過を可能にする、請求項４又は請求項５に記載のディスプレイデバイス。
【請求項７】
前記表面は、当該ディスプレイデバイスの外側の表面である、請求項４から６のいずれか一項に記載のディスプレイデバイス。
【請求項８】
前記発光ダイオードアレイは、一のプリント配線基板上に構成される、請求項１から７のいずれか一項に記載のディスプレイデバイス。
【請求項９】
複数の発光ダイオードを有する発光ダイオードアレイからの光の表示方法であって、
前記発光ダイオードアレイは、列方向または行方向に配列された側面発光ダイオードである前記複数の発光ダイオードを含み、
画像コンテンツを表示するための液晶ディスプレイの光源として構成された、前記発光ダイオードアレイにおける列方向または行方向に配列された前記複数の発光ダイオードのうちの第１の発光ダイオードからの光の放射を制御するステップと、
前記発光ダイオードアレイにおける列方向または行方向に配列された前記複数の発光ダイオードのうちの第２の発光ダイオードからのアンビエント光の放射を制御するステップとを有し、
前記アンビエント光の特性が、前記画像コンテンツに依存する、方法。
【請求項１０】
複数の発光ダイオードを有する発光ダイオードアレイからの光の表示方法であって、
前記発光ダイオードアレイは、２列または２行に配列された側面発光ダイオードである前記複数の発光ダイオードを含み、
画像コンテンツを表示するための液晶ディスプレイの光源として構成された、前記発光ダイオードアレイにおける前記液晶ディスプレイに近い側の列または行の第１の発光ダイオードからの光の放射を制御するステップと、
前記発光ダイオードアレイにおける前記液晶ディスプレイから離れた側の列または行の第２の発光ダイオードからのアンビエント光の放射を制御するステップとを有し、
前記アンビエント光の特性が、前記画像コンテンツに依存する、方法。
【請求項１１】
データ処理装置上で実行されたときに請求項９または１０に記載の方法のステップを実行するように適合されたソフトウェアコードを有する、コンピュータ読み取り可能な媒体上に格納されたコンピュータプログラム。
【発明の詳細な説明】
【技術分野】
【０００１】
この発明は、概して、ディスプレイのバックライトの分野に関する。より詳細には、本発明は、バックライトデバイス、システム及び方法に関する。
【背景技術】
【０００２】
ビジュアルディスプレイデバイスは良く知られており、映画のプロジェクタ、テレビ、モニタ、プラズマディスプレイ、液晶ディスプレイＬＣＤテレビ、モニタ及びプロジェクタ等を含む。斯様なデバイスは、視聴者に対して画像又は画像シーケンスを提示するためにしばしば用いられる。
【０００３】
バックライトの分野は、テレビが最適な表示のために"暗い"部屋を必要とするという事実によって１９６０年代に始まった。バックライトは、ビジュアルディスプレイデバイスの背面に投射された、例えば電球から放射された最も単純な形式の白色光である。バックライトは、虹彩をリラックスさせ、眼精疲労を削減するために用いられると提案されている。
【０００４】
近年の間、バックライト技術は、より洗練され、ディスプレイデバイス上に示された視覚的情報に依存して異なる輝度をもつ色を放射可能な一体化されたバックライトの特徴を伴う幾つかのディスプレイデバイスが市場に存在する。
【０００５】
バックライトの利点は、一般に、より深くより夢中になる視聴体験、向上された色、コントラスト及び最良の画像品質の詳細、及び、よりリラックスした視聴のための削減された眼精疲労を含む。バックライトの異なる利点は、バックライトシステムの異なる設定を必要とする。削減された眼精疲労は、ゆっくりと変化する色と多かれ少なかれ固定された輝度とを必要とする一方で、より夢中になる視聴体験がスクリーンコンテンツの拡張を必要とし得る。即ち、同一の輝度がスクリーンコンテンツと同じ速度で変化する。
【０００６】
しかしながら、現在のバックライトシステムは、非常に高価であり、それ故に、削減されたコストでバックライトシステムを提供する必要性が存在する。更に、現在のバックライトシステムの深さサイズ又は厚さを削減することも有利であるだろう。
【発明の概要】
【発明が解決しようとする課題】
【０００７】
従って、本発明は、好ましくは、特許請求の範囲に記載されたディスプレイデバイス、方法及びコンピュータプログラム製品を提供することにより、１又はそれ以上の前述した従来の欠陥及び欠点を単独で又は任意の組み合わせで軽減、緩和又は除去し、少なくとも前述した問題を解決することを目的とする。
【課題を解決するための手段】
【０００８】
本発明の概念は、ディスプレイデバイスの光源をバックライトデバイス用の光源として利用することにある。
【０００９】
更に、本発明の概念は、ディスプレイデバイスの回路の少なくとも一部をバックライトデバイス用の回路として利用することにあり、これにより、現在のバックライトシステムのために必要とされる部品の総数を削減する。ディスプレイシステム用の回路及びバックライトデバイス用の回路は非常に類似している。簡単に言うと、ほぼ同一の部品がディスプレイデバイス及び現在のバックライトデバイス用の回路として用いられることが言える。ビデオ信号を処理して視聴者への画像コンテンツの表示を制御するために用いられる、例えばＬＣＤ ＴＶに含まれるプロセッサは、バックライトの表示に関する情報を処理するために用いられてもよい。現在のディスプレイデバイスの回路の部品の少なくとも部分は、追加のタスクを実行するためにより多くのキャパシティを有する。それ故、バックライトデバイスに関するデータの処理の少なくとも部分は、ディスプレイデバイスの回路上で実行され得る。
【００１０】
一態様において、ディスプレイデバイスが提供される。ディスプレイデバイスは、複数の発光ダイオードをもつ発光ダイオードアレイに接続された液晶ディスプレイを有する。ディスプレイデバイスは、画像コンテンツを表示し、この画像コンテンツに依存にした特性をもつアンビエント光を表示するように構成される。発光ダイオードアレイの第１の発光ダイオードは、液晶ディスプレイ用の光源として構成される。発光ダイオードアレイの第２の発光ダイオードは、アンビエント光を放射するように構成される。
【００１１】
他の態様において、複数の発光ダイオードを有する発光ダイオードアレイからの光の表示方法が提供される。本方法は、画像コンテンツを表示するための液晶ディスプレイの光源として構成された発光ダイオードアレイの第１の発光ダイオードからの光の放射を制御するステップを有する。更に、本方法は、発光ダイオードアレイの第２の発光ダイオードからのアンビエント光の放射を制御するステップを有し、アンビエント光の特性は画像コンテンツに依存する。
【００１２】
更に他の態様において、コンピュータプログラム製品が提供される。コンピュータプログラム製品は、データ処理装置上で実行されたときに本方法のステップを実行するように適合されたソフトウェアコードを有するコンピュータ読み取り可能な媒体上に格納される。
【００１３】
幾つかの実施形態のディスプレイデバイスは、現在のソリューションと比較して低い製造コスト及び削減された奥行きサイズ又は厚さを提供する。従って、ディスプレイデバイスの体積も削減される。
【００１４】
本発明が可能なこれら並びに他の態様、特徴及び利点は、添付図面が参照される本発明の実施形態の以下の説明から明らかになり説明されるだろう。
【図面の簡単な説明】
【００１５】
【図１】一実施形態のディスプレイデバイスである。
【図２】一実施形態のディスプレイデバイスの横断面図である。
【図３ａ】一実施形態のディスプレイデバイスの正面図である。
【図３ｂ】一実施形態のディスプレイデバイスの正面図である。
【図３ｃ】一実施形態のディスプレイデバイスの正面図である。
【図３ｄ】一実施形態のディスプレイデバイスの上面図である。
【図３ｅ】一実施形態のディスプレイデバイスの上面図である。
【図３ｆ】一実施形態のディスプレイデバイスの上面図である。
【図３ｇ】一実施形態のディスプレイデバイスの上面図である。
【図４ａ】一実施形態のディスプレイデバイスの正面図である。
【図４ｂ】一実施形態のディスプレイデバイスの上面図である。
【図４ｃ】一実施形態のディスプレイデバイスの上面図である。
【図４ｄ】一実施形態のディスプレイデバイスの上面図である。
【図４ｅ】一実施形態のディスプレイデバイスの上面図である。
【図５ａ】一実施形態のディスプレイデバイスの正面図である。
【図５ｂ】一実施形態のディスプレイデバイスの上面図である。
【図５ｃ】一実施形態のディスプレイデバイスの上面図である。
【図５ｄ】一実施形態のディスプレイデバイスの上面図である。
【図５ｅ】一実施形態のディスプレイデバイスの上面図である。
【図６】一実施形態の方法のフローチャートである。
【発明を実施するための形態】
【００１６】
本発明の幾つかの実施形態は、当業者が本発明を実行することができるように、添付図面を参照して以下により詳細に説明されるだろう。しかしながら、本発明は、多くの異なる形式において具現されることができ、ここに記載された実施形態に限定されるものと見なされるべきではない。むしろ、これらの実施形態は、この開示が徹底的且つ完全なものであるように与えられ、本発明の範囲を当業者に完全に伝えるだろう。これらの実施形態は本発明を限定するものではなく、本発明は特許請求の範囲によってのみ限定される。更に、添付図面において示された特定の実施形態の詳細な説明において用いられた技術は、本発明を限定することを意図されるものではない。
【００１７】
現在のバックライトシステムにおいて、ＴＶのようなディスプレイデバイス、及び、ユーザに向かって又は後方、例えばディスプレイデバイスの背面の壁にバックライトを提供するデバイスは、２つの別個のデバイスであるが、大部分が同一ハウジングに組み込まれる。従って、バックライトデバイス及びディスプレイデバイスは、それぞれが自己の回路及び光源を有するだろう。
【００１８】
ここで用いられた"バックライト"という用語は、ユーザに向かって表示され（前方投影）及び／又はユーザから離れるように（後方投影）、例えばディスプレイデバイスの背面壁上に表示され得るディスプレイデバイス上に提示された画像コンテンツに依存した、輝度、ルミネッセンス、色、又はクロミナンスのような特性をもつものとして解釈され得る。それ故、"バックライト"及び"アンビライト"という用語は、本明細書中で同意語として用いられる。幾つかの実施形態において、バックライトは、視聴者から離れるようにのみ表示されるだろう。他の実施形態において、バックライトは、視聴者に向かってのみ表示されるだろう。しかしながら、ユーザに向かうバックライトとユーザから離れるバックライトとを表示する組み合わせは、本明細書の範囲内で同等に可能である。
【００１９】
"バックライトデバイス"という用語は、バックライト又はアンビエント光を放射し得るデバイスであると見なされる。
【００２０】
以下の説明は、バックライト機能をもつディスプレイデバイスに適用可能な本発明の実施形態に焦点を合わせる。
【００２１】
図１による一実施形態において、ディスプレイデバイス１０が提供される。ディスプレイデバイスは、発光ダイオード（ＬＥＤ）アレイ１２に接続された液晶ディスプレイ１１を有する。ディスプレイデバイス１０は、視聴者に対して画像シーケンスのような画像コンテンツを表示し、視聴者に対してバックライトを表示するように構成され、これにより、ＬＥＤアレイの第１の部分は、画像コンテンツを表示するためのＬＣＤディスプレイを介して光を放射するように構成され、ＬＥＤアレイの第２の部分は、バックライトを表示するための光を放射するように構成される。この実施形態の利点は、バックライトを表示するために用いられたＬＥＤが、画像コンテンツを表示するために用いられたＬＥＤと同一のＬＥＤアレイに含まれることである。従って、ディスプレイデバイスの効果的に要求されたサイズは、この手法において、要求された部品の少ない数に起因して、現在のソリューションと比較して削減され得る。しかしながら、ＬＣＤディスプレイ用の光源として機能するＬＥＤアレイは、バックライト効果機能を可能にするためにより大きく作られ得る従来のソリューションと比較されるだろう。更に、斯様なディスプレイデバイスの製造コストは、２つの別個の光源、例えばＬＥＤアレイ、即ち現在のソリューションに応じたＬＣＤディスプレイ用の一の光源とバックライト効果を与えるための一の光源との代わりに、ＬＥＤアレイだけが用いられるので、現在のソリューションと比較して大幅に削減されるだろう。
【００２２】
他の利点は、ＬＣＤディスプレイ用のＬＥＤアレイ内のＬＥＤのより高い体積に起因して、アンビエント光を表示するための別個のＬＥＤアレイの代わりに、アンビエント光を表示するための光源としてＬＥＤアレイの一部を用いたときに、ルーメン毎のコストが低くなることである。更に、アンビエント光効果及びＬＣＤ用の光源を供給するための、ＬＥＤのような光源が、バックライト効果を与えるための専用ボード及びＬＣＤバックライト用のボード上にＬＥＤを置く代わりに同一のＰＣＢ上に設けられるときに、製造コストも低くなるだろう。これは、ボード製造における削減された処理コスト、削減されたハンドリングコストに起因する。
【００２３】
図２は、一実施形態によるディスプレイデバイス２０の正面図を示している。ディスプレイデバイスは、ユーザに対して画像コンテンツを表示するためのＬＣＤディスプレイのような表示領域２２と、表示領域内に提示される画像コンテンツに基づくアンビエント光を表示するためのアンビエント光領域２１とを有する。アンビエント光領域２１は、前面プレート３７によりカバーされ、反射層３８及び／又はアンビエント光ガイド３８１が、所望タイプのアンビエント光（前方、後方、又は、前方／後方投影）に依存して設計される。
【００２４】
図２において、アンビエント光領域２１は、フレーム形状を有し、それ故、視聴者に対して画像コンテンツを表示するために利用される表示領域２２を囲む。しかしながら、任意の形状のアンビエント光領域２１が提供されてもよい。
【００２５】
一実施形態において、ＬＥＤアレイは、側面発光ＬＥＤを有する。図３ａは、側面発光ＬＥＤを用いた、一実施形態のディスプレイデバイス３０の正面図を示している。図３ａは、ＬＣＤディスプレイ３１と、複数のＬＥＤがアレイ状に接続されたプリント回路基板３２とを示している。この実施形態において、ＬＥＤアレイは、２列のＬＥＤを有し、これにより、ＬＣＤディスプレイに最も近いＬＥＤ３３の列がＬＣＤディスプレイの後方に置かれた光ガイド３４に光を投射する。スクリーンから更に離れて配置されたＬＥＤ３５の列は、アンビエント光を与えるために用いられる。
【００２６】
幾つかの実施形態において、ＬＥＤアレイは、図３ｂ及び３ｃにおいて開示されるように、表示領域の上及び／又は下に置かれてもよい。図３ｂにおいて、ＬＥＤアレイは、表示領域の上及び下にＬＥＤの行を有する。図３ｃにおいて、ＬＥＤアレイは、表示領域の下及び上の双方に配置された２行のＬＥＤを更に有し、これにより、２行のうち一方がアンビエント光を投射し、他方の行がＬＣＤディスプレイ用の光源として機能する。
【００２７】
図３ｄは、図３ａのディスプレイデバイスの上面図であり、ディスプレイデバイスの構造が更に説明される。ＬＣＤディスプレイ３１と光ガイド３４との間には、例えば偏光フィルタ等を有する光学積層ＬＣディスプレイ３６が設けられる。例えば偏光板及び拡散板を有する光ガイド３４及び光学積層ＬＣディスプレイ３６の構成は当業者により一般に知られている。
【００２８】
ディスプレイデバイスは、反射層３８をカバーするＬＣＤディスプレイに隣接して置かれた前面プレート３７を更に有する。所望のアンビエント光効果、即ち後方投射、前方投射又は後方／前方投射に依存して、反射層３８及び前面プレート３７の設計は異なり得る。
【００２９】
図３ｄのディスプレイデバイスは、例えば壁３９に対してアンビエント光の後方投射を与えるように構成されている。斯様な実施形態の前面プレート３７は、それ故、アンビエント光がユーザに向かって表示されるのを阻止されるように非透明であり得る。図３ｄにおいて、反射層３８は、反射光が後方、例えばディスプレイデバイス３０の背後に配置された壁に投射され得るように、側面発光ＬＥＤ３５から放射された入射光が所定の角度で反射されるように設計される。反射層３８は、例えば、側面発光ＬＥＤから放射された全ての入射光を反射する非透明反射体であってもよい。
【００３０】
図３ｅは、アンビエント光の後方投射及び前方投射の双方を可能にする、他の構成における図３ａのディスプレイデバイス３０を示している。ここで、反射層３８は、部分的に前面プレート３７に向かって、及び、部分的に後方、例えば壁３９に向かって、側面発光ＬＥＤからの放射光を反射するように設計され得る。斯様な一実施形態において、前面プレート３７は、透明又は半透明であり、反射層３８からの反射光が前面プレートを介して伝播し、例えばユーザに向かってディスプレイデバイスの前面で表示されることを可能にする。
【００３１】
前面プレート３７は、アンビエント光の所望の投射のタイプに依存して構成を異にする。典型的には、透明度は、アンビエント光の所望の投射のタイプ（後方、前方、後方／前方）に依存して異なるだろう。前面プレートは、白色、黒色等のような任意の色をもち、所望の透明度を可能にする任意の材料から作られ得る。
【００３２】
アンビエント光の所望タイプに依存して、ＬＥＤアレイの構成及び反射層３８の設計は変わり得る。例えば、反射層３８は、白色塗料を伴うＰＣ ＡＢＳ／ＰＣを有する反射体又はメタリックホワイトの拡散反射体であり得る。
【００３３】
代わりに又は反射層３８と組み合わせて、アンビエント光ガイド３８１は、アンビエント光を投射するために用いられ得る。
【００３４】
図３ｆは、図３ｄの反射層の代わりにアンビエント光ガイド３８１が用いられる他の構成についての図３ａのディスプレイデバイス３０を示している。
【００３５】
図３ｇは、図３ｅの反射層の代わりにアンビエント光ガイド３８１が用いられる他の構成についての図３ａのディスプレイデバイス３０を示している。
【００３６】
図４ａ〜４ｅは、ＬＥＤアレイ３２が１列の側面発光ＬＥＤを有する他の実施形態のディスプレイデバイス４０を示しており、これにより、ＬＥＤアレイに含まれる側面発光ＬＥＤのうち少なくとも１つの側面発光ＬＥＤ３３がＬＣＤディスプレイ３１用の光源として用いられ、少なくとも１つの側面発光ＬＥＤ３５がアンビエント光を表示するために用いられる。
【００３７】
図４ｂは、図３ｂと同様の構成であるが、図４ａのＬＥＤアレイを備える構成を示している。
【００３８】
図４ｃは、図３ｃと同様の構成であるが、図４ａのＬＥＤアレイを備える構成を示している。
【００３９】
図４ｄは、図３ｆと同様の構成であるが、図４ａのＬＥＤアレイを備える構成を示している。
【００４０】
図４ｅは、図３ｇと同様の構成であるが、図４ａのＬＥＤアレイを備える構成を示している。
【００４１】
図５は、上面発光ＬＥＤがＬＥＤアレイにおいて用いられる一実施形態のディスプレイデバイスの正面図を示している。図５ａにおいて、ＬＥＤアレイは、アンビエント光を表示するための複数の上面発光ＬＥＤ３５と、ＬＣＤスクリーン用の光源として用いられる複数の上面発光ＬＥＤ３３とを有し、アンビエント光ＬＥＤ３５は、ＬＣＤディスプレイを囲むフレームに設けられる。
【００４２】
図５ｂは、反射層３８を利用してアンビエント光の後方投射を可能にする構成についてのディスプレイデバイスの上面図を示している。
【００４３】
図５ｃは、反射層３８を利用してアンビエント光の後方投射及び前方投射の双方を可能にする他の構成についてのディスプレイデバイスの上面図を示している。
【００４４】
図５ｄは、図５ｂと同様の構成であるが、反射層３８の代わりにアンビエント光ガイド３８１を備える構成を示している。
【００４５】
図５ｅは、図５ｃと同様の構成であるが、反射層３８の代わりにアンビエント光ガイド３８１を備える構成を示している。
【００４６】
他のＬＥＤアレイ設定が本発明の概念の範囲内で同等に可能である。例えば、幾つかの実施形態において、上面発光ＬＥＤ及び側面発光ＬＥＤの組み合わせが用いられてもよい。
【００４７】
アンビエント光を表示するために用いられるＬＥＤの構成及び配置を含む、ＬＥＤアレイの設計又は構成は、所望のアンビエント光効果のタイプに依存して異なってもよい。例えば、一実施形態において、アンビエント光を表示するために用いられる上面発光ＬＥＤが、ＬＣＤディスプレイの右側及び左側だけに設けられる。
【００４８】
ＬＥＤアレイの任意の構成が本明細書の実施形態の範囲内で可能であることが理解されるべきである。従って、図３ａ〜３ｃ，４ａ〜４ｃ，５ａ〜５ｃで示された例となる実施形態は、本範囲を限定するものとして見なされるべきではなく、むしろ、ディスプレイシステムの構成が本発明の概念から逸脱することなく種々の態様で変えられ得ることを視覚化するためのものである。
【００４９】
一実施形態において、反射層３８は、半反射であり、即ち、視聴者に向かう光の透過と、例えばディスプレイデバイスの背後に配置された壁３９に向かう光の反射との双方を可能にする。
【００５０】
他の実施形態において、反射層３８は、図３ｄ，４ｂ及び５ｂのような完全な反射であり、即ち、反射層３８を介しての光の透過を可能にしない。
【００５１】
一実施形態において、ディスプレイデバイスは、所望のアンビエント光効果に依存して、半反射層及び完全な反射層の組み合わせを有し得る。
【００５２】
実際の実装において、表示領域、即ちＬＣＤディスプレイはフォーマット１６：９を有する。同一の状況において、ＬＣＤディスプレイに示されるべき画像コンテンツは、１６：９フォーマットに形式が合わせられる。しかしながら、幾つかの場合において、画像コンテンツのフォーマットは、ＬＣＤディスプレイのフォーマットとは異なる。一の一般的な画像コンテンツのフォーマットは４：３である。４：３でフォーマットされた画像コンテンツを１６：９ディスプレイに示すときには、拡大されない場合には、４：３画像コンテンツは、１６：９スクリーン全体をカバーしないだろう。従って、斯様な場合において、表示領域の少なくとも１つの下位部分、例えば、示された４：３画像コンテンツの左側の一の矩形部分、及び、示された４：３画像コンテンツの右側の一の矩形部分は、任意の画像コンテンツを表示しないだろう。表示領域のこの下位部分を黒色のままにする代わりに、画像コンテンツの表示の間中、一実施形態において、この下位部分は、ＬＣＤディスプレイを用いて視聴者に向かってアンビエント光を表示するために用いられる。
【００５３】
例となる実施形態において、ディスプレイデバイスのＬＥＤアレイのサイズは、４２インチである。ＬＣＤディスプレイは、この実施形態においては３７インチである。従って、３７インチと４２インチとの間の空間が、視聴者に対してアンビエント光を与えるために用いられ得る。
【００５４】
例えばビデオ信号に含まれる画像データを処理するために用いられるディスプレイデバイスに含まれる回路又はＰＣＢボード３２のデザインは、ＬＥＤアレイのデザインに依存して異なり得る。例えば、使用電流は、上面発光ＬＥＤが用いられるか又は側面発光ＬＥＤが用いられるかに依存して異なり得る。
【００５５】
一実施形態において、ディスプレイデバイスの全てのＬＥＤは、ＰＣＢに配置される。
【００５６】
一実施形態において、図６に従って、複数の発光ダイオードを有する発光ダイオードアレイからの光を表示する方法が提供される。本方法は、画像コンテンツを表示するための液晶ディスプレイの光源として構成される発光ダイオードアレイの第１の発光ダイオードからの光の放射を制御するステップ６１を有する。また、本方法は、アンビエント光を表示するための前記発光ダイオードアレイの第２の発光ダイオードからの光の放射を制御するステップ６２を有する。
【００５７】
一実施形態において、本方法は、幾つかの実施形態のディスプレイデバイスの機能のうちいずれか一つを実行するためのステップを有する。
【００５８】
一実施形態において、データ処理装置上で実行されたときに幾つかの実施形態の方法のステップを実行するように適合されたソフトウェアコードを有するコンピュータ読み取り可能な媒体に記憶されたコンピュータプログラム製品が提供される。
【００５９】
本発明は、ハードウェア、ソフトウェア、ファームウェア又はこれらの任意の組み合わせを含む任意の適切な形式に実装され得る。しかしながら、好ましくは、本発明は、１又はそれ以上のデータプロセッサ及び／又はデジタルプロセッサで実行するコンピュータソフトウェアとして実装される。本発明の一実施形態の要素及び部品は、任意の適切な手法で物理的、機能的及び論理的に実装され得る。実際には、その機能性は、単一のユニットにおいて、複数のユニットにおいて、又は、他の機能ユニットの部分として、実装され得る。本発明は、単一のユニットに実装されてもよく、又は、異なるユニット及びプロセッサ間に物理的及び機能的に分配されてもよい。
【００６０】
本発明は特定の実施形態を参照して前述されたが、これは、ここに記載された特定の形式に限定されることを意図するものではない。むしろ、本発明は、特許請求の範囲によってのみ限定され、上記の特定のもの以外の他の実施形態は、請求項の範囲内で同等に可能である。
【００６１】
請求項において、"有する"という用語は、他の要素又はステップの存在を除外するものではない。更に、複数の手段、要素又は方法ステップが個別に記載されたが、これらは、例えば単一のユニット又はプロセッサにより実装されてもよい。加えて、個別の特徴が異なる請求項に含められ得るが、これらは、場合によっては有利に組み合わせられてもよく、異なる請求項における包含は、これら特徴の組み合わせが実現可能及び／又は有利ではないことを意味するものではない。加えて、単数表記は複数を除外するものではない。"第１"，"第２"等の用語は、複数を排除するものではない。請求項中の参照符号は、単に明確な例として与えられ、請求項の範囲を限定するものとして考慮されるべきではない。
【図１】
0005394496.tif 000002
【図２】
0005394496.tif 000003
【図３ａ】
0005394496.tif 000004
【図３ｂ】
0005394496.tif 000005
【図３ｃ】
0005394496.tif 000006
【図３ｄ】
0005394496.tif 000007
【図３ｅ】
0005394496.tif 000008
【図３ｆ】
0005394496.tif 000009
【図３ｇ】
0005394496.tif 000010
【図４ａ】
0005394496.tif 000011
【図４ｂ】
0005394496.tif 000012
【図４ｃ】
0005394496.tif 000013
【図４ｄ】
0005394496.tif 000014
【図４ｅ】
0005394496.tif 000015
【図５ａ】
0005394496.tif 000016
【図５ｂ】
0005394496.tif 000017
【図５ｃ】
0005394496.tif 000018
【図５ｄ】
0005394496.tif 000019
【図５ｅ】
0005394496.tif 000020
【図６】
0005394496.tif 000021